(57)【要約】【課題】動画撮影時に画質を低下させることなく、また動画撮影を中断することなく、所望の静止画を得ることのできる撮像装置を提供することにある。【解決手段】判断部６１は、レンズ駆動部１２から出力されるレンズ１の焦点距離情報、手ぶれ検出部１４から出力されるデジタルカメラに加わる速度要素の値に基づく手ぶれ情報、測光部１８から出力される被写体輝度の情報に基づいて計算されたシャッター速度、さらには手ぶれ検出部１４の手ぶれ情報に基づいて計算されその計算結果に基づき手ぶれ補正部１５によって移動された手ぶれ補正レンズの移動量（手ぶれ補正の情報）に基づき、撮影中の動画像を構成する画像が静止画として使用可能であることを判断し、その判断結果を判断した画像に対応させて記録する。【選択図】　図１
2004072550.tif 000002
【特許請求の範囲】
【請求項１】
連続する複数の画像からなる動画像の撮影機能を持つ撮像装置であって、
動画撮影中の所定の判定条件に基づき動画像を構成する画像が静止画として使用可能と判段する判断手段を有し、
判断手段が静止画として使用可能と判断した場合には、判断手段の判断結果を示す情報を、判断した画像に対応させて記録することを特徴とする撮像装置。
【請求項２】
動画撮影時の手ぶれの発生を検出する手ぶれ検出手段を有し、前記判断手段は手ぶれ検出手段が検出する手ぶれ情報に基づいて判断を行うことを特徴とする請求項１記載の撮像装置。
【請求項３】
動画撮影時の手ぶれの発生を検出する手ぶれ検出手段と、手ぶれ検出手段からの出力に基づき撮像装置の一部を移動させることで手ぶれを補正する手ぶれ補正手段を有し、前記判断手段は手ぶれ補正手段が補正する補正量に基づいて判断を行うことを特徴とする請求項１記載の撮像装置。
【請求項４】
被写体輝度からシャッター速度を算出するシャッター速度算出手段と、撮像レンズの焦点距離を検出する焦点距離検出手段を有し、前記判断手段は、シャッター速度算出手段より算出されるシャッター速度と焦点距離検出手段により検出される焦点距離に基づき算出される手ぶれ限界シャッター速度とを比較して、判断を行うことを特徴とする請求項１記載の撮像装置。
【請求項５】
前記判断手段は、静止画像の画素数に基づいて判断することを特徴とする請求項１記載の撮像装置。
【請求項６】
動画撮影時に前記判断手段が判断した結果を表示する表示手段を有することを特徴とする請求項１乃至５のいずれかに記載の撮像装置。
【請求項７】
動画撮影用の露出プログラムと、静止画撮影用の露出プログラムと、動画撮影中に静止画撮影を指示するための操作手段を有し、動画撮影時に前記操作手段の第１の操作がなされると動画撮影用の露出プログラムから静止画撮影用の露出プログラムに変更になり、前記操作手段の第２の操作がなされると静止画用露出プログラムに基づいて静止画を記録することを特徴とする請求項１乃至６のいずれかに記載の撮像装置。
【請求項８】
静止画として使用可能であることを示す情報が画像とともに記録された記録媒体が装着可能な画像再生装置であって、
記録媒体に記録された画像を読み取る画像読取手段と、
記録媒体から静止画として記録可能であることを示す情報を検出する検出手段と、
検出手段によって検出された静止画として記録可能であることを示す情報と再生画像とを表示する表示手段と、
静止画記録を指示する記録指示手段と、
記録指示手段によって記録指示された画像を記録する画像記録手段を有し、
表示部に再生画像とともに静止画として記録可能であることを示す情報が表示されている時に、記録指示手段の操作を行うと、表示手段に表示されている画像に対応する画像が画像記録手段によって所定の記録媒体に記録されることを特徴とする画像再生装置。
【発明の詳細な説明】
【０００１】
【発明の属する技術分野】本発明は、動画撮影中に静止画撮影を行う撮影機能を有する撮像装置及び画像再生装置に関する。
【０００２】
【従来の技術】一般的に動画再生中に静止画を得ようとする場合、再生動画を停止あるいはコマ送りして、鮮明な画像を選択し静止画として記録する必要があるが、この作業は非常に手間がかかる。そこで、再生動画から所望の静止画を簡単に得ることのできるビデオプリントシステムが開発されている。そのようなビデオプリントシステムの一例が特開平６−３４３１４７号公報に記載されている。
【０００３】
特開平６−３４３１４７号公報に記載されているビデオプリントシステムでは、ビデオカメラで動画を撮影するときに数フレーム毎に高速シャッターを動作させて映像を取り込み、高速シャッターを動作させたフレームの映像信号にＩＤ信号を重畳しておく。上記ビデオカメラにより動画を再生しているとき、静止画を得るためにプリント釦を押すと、プリント釦によるプリント指令のあった後の直近のＩＤ信号を検出した時に、ＩＤ信号が付されたフレームの映像信号が静止画としてプリントされる。
【０００４】
一方、動画から静止画を得る方法には、動画撮影中に撮影中の１コマを静止画として記録する方法がある。そのような電子カメラの一例が特開２００１−１０３３６１号公報に記載されている。特開２００１−１０３３６１号公報に記載された電子カメラ装置では、動画撮影中に静止画撮影釦が押されると、動画撮影用の撮影状態から静止画撮影用の撮影状態に再設定され、静止画撮影用の撮影状態のもとで静止画撮影が行われる。この際、動画撮影は中断され、静止画撮影動作の終了後に動画撮影が再開される。
【０００５】
【発明が解決しようとする課題】しかしながら、特開平６−３４３１４７号公報に開示されたビデオプリントシステムにおいては、静止画が必要ない場合にも、常に高速シャッターが数フレーム毎に動作しているため、動画および静止画の品質が低下してしまう。
【０００６】
つまり、高速シャッターを動作させることで、ビデオカメラの撮像素子に入射する光量が減少し、その光量不足を補うため、信号処理部のゲインを瞬間的に上げているが、その結果ノイズの多い動画および静止画となってしまう。また、高速シャッターを動作させているため、滑らかな動画が得られない。
【０００７】
さらに、得られる静止画は、プリント釦を押した後の直近の画像であるため、操作者の意図とは異なった瞬間の画像がプリントされることとなる。
【０００８】
また、特開２００１−１０３３６１号公報記載の電子カメラにおいては、動画撮影時に静止画撮影釦を押すことで撮影者の必要に応じて所望する静止画が得られるが、動画再生時において、動画撮影時に静止画撮影釦を押していないため静止画が記録されていない場面の静止画を出力する場合には、従来のように再生動画を停止あるいはコマ送りして鮮明な画像を選択する必要があり、非常に手間がかかる。また、動画撮影時に静止画を記録しようとすると、本来必要としているはずの動画撮影が中断されてしまう欠点を持つ。
【０００９】
本発明はこのような問題点に鑑み、動画撮影時に、動画、静止画ともに画質が低下せずに、動画撮影が中断されることなく所望の静止画が得られる撮像装置を提供することを目的とする。また、動画再生時においても所望の静止画が容易に選択し記録できる画像再生装置を提供することを目的とする。
【００１０】
【課題を解決するための手段】上記目的を達成するために本発明は、連続する複数の画像からなる動画像の撮影機能を持つ撮像装置であって、動画撮影中の所定の判定条件に基づき、動画像を構成する画像が静止画として使用可能と判断する判断手段を有し、判断手段が静止画として使用可能と判断した場合には判断手段の判断結果を示す情報を判断した画像に対応させて記録するようにしたものである（請求項１）。
【００１１】
また、前記撮像装置は、動画撮影時の手ぶれの発生を検出する手ぶれ検出手段を有しており、手ぶれ検出手段が検出する手ぶれ情報に基づいて前記判断手段は判断を行う（請求項２）。
【００１２】
また、前記撮像装置は、動画撮影時の手ぶれの発生を検出する手ぶれ検出手段と、手ぶれ検出手段からの出力に基づき撮像装置の一部を移動させることで手ぶれを補正する手ぶれ補正手段を有しており、手ぶれ補正手段が補正する補正量に基づいて前記判断手段は判断を行う（請求項３）。
【００１３】
また前記撮像装置は、被写体輝度からシャッター速度を算出するシャッター速度算出手段と、撮像レンズの焦点距離を検出する焦点距離検出手段を有し、前記判断手段は、シャッター速度算出手段より算出されるシャッター速度と焦点距離検出手段により検出される焦点距離に基づき算出される手ぶれ限界シャッター速度とを比較して、判断を行う（請求項４）。
【００１４】
また、前記撮像装置において、前記判断手段は、静止画像の画素数に基づいて判断する（請求項５）。
【００１５】
請求項１乃至５の構成によれば、所定条件のもと動画撮影中の画像が静止画として使用可能であると撮像装置が判断するため、高速シャッターを使用する等の露光条件を変更する必要がなく、通常の露光条件のまま動画が撮影でき、その結果、動画の画質を低下させない。また、静止画として使用可能な画像に対応して前記判断手段が判断した判断結果のみを記録するため、静止画撮影のために動画撮影を中断することもない。
【００１６】
さらに、前記撮像装置は、動画撮影時に、前記判断手段が判断した結果を表示する表示手段を有する（請求項６）。
【００１７】
この構成により、撮影者は、撮影時に撮影中の画像が静止画として使用可能であることを認識できる。
【００１８】
また、前記撮像装置は、動画撮影用の露出プログラムと、静止画撮影用の露出プログラムと、動画撮影中に静止画撮影を指示するための操作手段を有し、動画撮影時に前記操作手段の第１の操作がなされると動画撮影用の露出プログラムから静止画撮影用の露出プログラムに変更になり、前記操作手段の第２の操作がなされると静止画用露出プログラムに従って静止画を記録する（請求項７）。
【００１９】
この構成により、動画撮影時に静止画が必要な場合に、撮影者の意図する瞬間の静止画が得られると同時に、静止画用露出プログラムに基づいて静止画記録が行われるため、より美しい静止画が得られる。
【００２０】
さらに、静止画として使用可能であることを示す情報が画像とともに記録された記録媒体が装着可能な画像再生装置であって、記録媒体に記録された画像を読み取る画像読取手段と、記録媒体から静止画として記録可能であることを示す情報を検出する検出手段と、検出手段によって検出された静止画として記録可能であることを示す情報と再生画像とを表示する表示手段と、静止画記録を指示する記録指示手段と、記録指示手段によって記録指示された画像を記録する画像記録手段を有し、表示部に再生画像とともに静止画として記録可能であることを示す情報が表示されている時に、記録指示手段の操作を行うと、表示手段に表示されている画像に対応する画像が画像記録手段によって所定の記録媒体に記録されることを特徴とする（請求項８）。
【００２１】
この構成により動画鑑賞者は、手ぶれのない静止画を容易に選択し、記録することができる。
【００２２】
【発明の実施の形態】以下図面を参照して、本発明の実施の形態を説明する。なお、以下に示す実施形態の相互において、同一の部分や相当する部分には、同一の符号を付して重複説明を適宜省略する。
【００２３】
本発明の第１の実施形態であるデジタルカメラの概略構成を示すブロック図を図１に示す。本実施形態として静止画撮影機能を主機能とし動画撮影可能なデジタルカメラを記載しているが、当然のことながら動画撮影機能が主機能で静止画撮影機能も有するデジタルビデオカメラにも適用可能である。また、デジタルカメラは画像の撮影を行う撮影機能と、記録されている画像データを再生し画像として表示する再生機能とを有している。
【００２４】
図１を用いて、デジタルカメラの各構成について説明する。
【００２５】
レンズ１は被写体からの光をＣＣＤ２上に結像し、被写体の像を形成する。レンズ１はズームレンズであり、ズーム操作キー２１を操作すると、制御部６からレンズ駆動部１２に指令が出され、レンズ１の焦点距離を変える。一方レンズ駆動部１２からは制御部６にレンズ１の焦点距離情報が出力される。
【００２６】
ＣＣＤ２は、レンズ１によって結像された被写体の像を、Ｒ（赤）、Ｇ（緑）、Ｂ（青）の色成分の画像信号（各画素で受光された画素信号の信号列からなる信号）に光電変換して出力する。
【００２７】
タイミングジェネレータ（ＴＧ）３は、制御部６から送信される基準クロックに基づきＣＣＤ２の駆動制御信号を生成する。例えば、積分開始／終了（露出開始／終了）のタイミング信号、各画素の受光信号の読出制御信号（水平同期信号、垂直同期信号、転送信号等）等のクロック信号を生成し、ＣＣＤ２に出力する。
【００２８】
信号処理部４は、ＣＣＤ２から出力される画像信号（アナログ信号）に所定のアナログ信号処理を施すものである。信号処理部４は、ＣＤＳ（相関二重サンプリング）回路とＡＧＣ（オートゲインコントロール）回路とを有し、ＣＤＳ回路により画像信号のノイズの低減を行い、ＡＧＣ回路でゲインを調整することにより画像信号のレベル調整を行う。
【００２９】
Ａ／Ｄ変換器５は、画像の各画素の信号を例えば１２ビットのデジタル信号に変換（Ａ／Ｄ変換）するものである。Ａ／Ｄ変換器５は、制御部６から入力されるＡ／Ｄ変換用の基準クロックに基づいて各画素信号（アナログ信号）をデジタル信号に変換する。Ａ／Ｄ変換器５によって変換されたデジタル信号は、制御部６と画像処理部７に入力される。
【００３０】
制御部６に送られたデジタル信号はコントラストが評価され、オートフォーカス制御に利用される。制御部６では、コントラストが最も高くなるようレンズ駆動部１２に指令を出し、レンズ１の一部のレンズ（フォーカス用レンズ）を動かし合焦させる。
【００３１】
画像処理部７に入力されたデジタル信号は、画像処理部７において各種画像処理（例えばガンマ補正、色補正等）が施され、ライブビュー画像として表示部１０に表示される。また、さらに画像圧縮処理（例えばＭｏｔｉｏｎ−ＪＰＥＧ方式）が行われ、記録／再生部７１によりメモリカード８に記録される。画像再生時には、記録／再生部７１はメモリカード８より画像データを読み出し、その後画像処理部７で、圧縮されていた画像データを伸張し、表示部１０に表示する。
【００３２】
表示部１０は画像を表示するためのＬＣＤモニターであり、ＬＣＤドライバー１１によって駆動される。
【００３３】
画像メモリ９は、画像処理部７から出力される画像のデータを記憶するワークメモリである。
【００３４】
フラッシュメモリ１３には各種露出プログラムが内蔵されている。例えば、動画撮影用プログラムや、静止画撮影用プログラムである。静止画撮影用プログラムには、例えばシャッター速度優先モード、絞り優先モード、あるいは各種撮影シーン（スポーツ、ポートレート等）に応じたプログラム等、被写体や撮影状況に応じた選択ができるようになっている。
【００３５】
測光部１８は、被写体輝度を測定し撮影時の露出を決めるためのものである。測光部１８からの情報とフラッシュメモリ１３から読み出された露出プログラムをもとに制御部６はシャッター速度、絞り値を決定する。
【００３６】
手ぶれ検出部１４は、デジタルカメラに加わる速度要素（並進速度や角速度など）の値を検出する手ぶれ検出装置であって、例えばジャイロよりなる。手ぶれ検出部１４に所定値以上の速度要素が加わったとき、手ぶれ検出部１４からは、加わった速度の情報が制御部６に伝えられる。この信号に基づき制御部６は手ぶれ補正部１５に指令を出し、レンズ１の一部のレンズ（手ぶれ補正用レンズ）を移動させ、手ぶれを補正する。なお、手ぶれ検出部には加速度要素（並進加速度や角加速度など）の値を検出する加速度センサを用いてもよい。また、手ぶれを補正するために、手ぶれ補正用レンズに代わってＣＣＤ２を移動させてもよい。
【００３７】
フラッシュ部１６は、制御部６からの指令により所定時間フラッシュを発光する。
【００３８】
操作キー群２０は、画像記録／再生切り替え釦、撮影モード切り替え釦、動画再生釦、静止画記録釦等である。
【００３９】
図１を用いて、静止画のみを撮影する場合の撮影動作を説明する。
【００４０】
撮影者により静止画レリーズ釦１７が半押しされると、フラッシュメモリ１３からあらかじめ設定されていた静止画用露出プログラムが読み出される。続いて、制御部６では、測光部１８からの被写体輝度の情報と読み出された露出プログラムをもとにシャッター速度、絞り値が計算される。静止画レリーズ釦１７が全押しされると、制御部６は、計算されたシャッター速度、絞り値に基づき、絞り値を設定する（駆動部不図示）とともにタイミングジェネレータ３に指令を出し、ＣＣＤ２の電荷読み出し時間（シャッター速度）を設定させ、画像データを信号処理部４に送る。信号処理部４およびＡ／Ｄ変換器５で処理された画像データは、画像処理部７で各種画像処理（例えばγ補正、色補正など）と画像圧縮処理（例えばＪＰＥＧ方式）が行われ、メモリカード８に記録される。
【００４１】
次に、動画を撮影する場合の撮影動作を説明する。撮影者により、動画開始／停止釦１９が押されるとフラッシュメモリ１３から動画撮影用プログラムが読み出される。動画撮影用プログラムでは、シャッター速度は通常１／６０秒に設定されている。制御部６は、動画用露出プログラムに基づき絞り値あるいは信号処理部４のゲインを設定する。画像処理部７は、Ａ／Ｄ変換器５で変換されたデジタル画像信号に各種画像処理、圧縮処理を実行し、連続的な複数の画像からなる動画データとして、動画像データをメモリカード８に記録する。再度、動画開始／停止釦１９が押されるか、あるいは所定時間経過すると、動画撮影は終了する。動画撮影中には、以下に説明する、動画撮影中の画像が静止画として使用可能かどうかの判断が行われている。
【００４２】
図２は、動画撮影中に撮影中の画像が静止画として使用可能であるかどうかの判断を行う撮影動作を表すフローチャートである。図１および図２を用いて撮影動作を説明する。
【００４３】
撮影者により動画開始／停止釦１９が押されると、フラッシュメモリ１３から動画撮影用プログラムが読み出され、動画撮影用プログラムに基づいてシャッター速度、絞り値等の露光条件が設定され、動画撮影が開始される（ステップＳ１）。
【００４４】
動画撮影開始と同時に、制御部６内部の判断部６１には、以下の情報が入力される。レンズ駆動部１２から出力されるレンズ１の焦点距離情報、手ぶれ検出部１４から出力されるデジタルカメラに加わる速度要素の値に基づく手ぶれ情報、測光部１８から出力される被写体輝度の情報に基づいて計算されたシャッター速度、さらには手ぶれ検出部１４の手ぶれ情報に基づいて計算されその計算結果に基づき手ぶれ補正部１５によって移動された手ぶれ補正レンズの移動量（手ぶれ補正の情報）、が入力される（ステップＳ２）。
【００４５】
判断部６１は、これらの情報をもとに、以下に示す（判定法１）乃至（判定法４）のいずれか一つの判定法を使用して、静止画として使用可能かどうかの判断を行う（ステップＳ３）。
【００４６】
（判定法１）手ぶれ検出部１４からの出力がある一定の値以下の場合には、静止画として使用可能と判断する。
【００４７】
（判定法２）手ぶれ検出部１４からの情報をもとに、手ぶれ補正部１５が手ぶれ補正を行った場合、静止画として使用可能と判断する。
【００４８】
（判定法３）手ぶれを起こさないと考えられるシャッター速度とレンズの焦点距離の関係を用いる（いわゆる手ぶれ限界シャッター速度以下のシャッター速度の場合、静止画として使用可能と判断する）。一般的に１３５サイズ（３６ｍｍ×２４ｍｍ）の銀塩フィルムを使用するカメラの場合、焦点距離の逆数より短い時間のシャッター速度で撮影すると、手ぶれのない鮮明な写真が得られると言われている。これを静止画使用判定に適用する。
【００４９】
以下の判定式（１）を満たすとき、静止画として使用可能と判断する。
Ｔ≦Ｋ１×１／ＦＬ　　　　　　　　　　　　　　　　　　　（１）
ただし、Ｔはシャッター速度（秒）、ＦＬはレンズ１の焦点距離（ｍｍ）である。Ｋ１はＣＣＤサイズと１３５フィルムサイズとの比率を表す補正係数である。例えばＣＣＤサイズが１／１．８型の場合、対角寸法は約９ｍｍであり、フィルムサイズの対角寸法は４３．３ｍｍであるから、Ｋ１＝９／４３．３となる。
【００５０】
なお、判定式（１）はシャッター速度とレンズ１の焦点距離との関係を用いているが、シャッター速度は被写体輝度、絞り値、ＣＣＤ感度の情報を用いて演算可能であり、シャッター速度以外にも被写体輝度、絞り値、ＣＣＤ感度の情報に基づいて判定を行ってもよい。
【００５１】
（判定法４）手ぶれを起こさないと考えられるシャッター速度とレンズの焦点距離の関係と、手ぶれ検出部１４からの手ぶれ情報と、手ぶれ補正部１５からの手ぶれ補正情報と所望する静止画像の画素数とに基づいて判定する。以下の判定式（２）を満たすとき、静止画として使用可能と判断する。
Ｔ≦Ｋ１・Ｋ２・Ｋ３・Ｋ４×１／ＦＬ　　　　　　　　　　　（２）
Ｔはシャッター速度（秒）、ＦＬはレンズ１の焦点距離（ｍｍ）である。Ｋ１、Ｋ２、Ｋ３、Ｋ４は補正係数である。
【００５２】
Ｋ１は、（判定法３）で使用した補正係数と同一で、ＣＣＤサイズと１３５フィルムサイズとの比率を表す補正係数である。
【００５３】
Ｋ２は手ぶれ量に関する補正係数であり、１以下の値を持つ。手ぶれ検出部１４からの速度要素の値に基づき手ぶれ状態が検出されると、その手ぶれ情報に基づき制御部６で計算される。手ぶれ状態が検出されると、より早いシャッター速度が必要となるため１以下の値を持つ。
【００５４】
Ｋ３は手ぶれ補正を行った場合の補正係数である。手ぶれ補正を行うことで、より遅いシャッター速度でも手ぶれの発生が抑えられる。従って、Ｋ３は１以上の値を持ち、その値は手ぶれの補正量に基づき制御部６で計算される。
【００５５】
手ぶれが検出されていない時、Ｋ２＝１であり、手ぶれ補正が行われていない時は、Ｋ３＝１である。
【００５６】
Ｋ４は静止画像の画素数によって決まる補正係数であり、１以上の値をもつ。撮像素子による静止画像の画素数と、あらかじめ設定された画像が鮮明であると認識できる画素数（例えば１５０万画素）とを比較したとき、撮像素子による静止画像の画素数が少ないと、解像度が低いため手ぶれによる画像劣化が目立たなくなる。従ってより遅いシャッター速度の使用が可能となり、Ｋ４は１以上の値をもつ。撮像素子による静止画像の画素数が、あらかじめ設定された画像が鮮明であると認識できる画素数と同じか多い場合はＫ４＝１である。
【００５７】
なお、判定式（２）にシャッター速度を用いているが、シャッター速度は被写体輝度、絞り値、ＣＣＤ感度の情報を用いて演算可能であり、シャッター速度以外にも被写体輝度、絞り値、ＣＣＤ感度の情報に基づいて判定を行ってもよい。
【００５８】
判断部６１は、上記４つの判定法のいずれかに基づき動画撮影中の画像が静止画として使用可能と判断すると、画像処理部７の内部にある記録／再生部７１にその旨の信号（以下、フラグと称す）を出力する。記録／再生部７１は、判断した画像のヘッダー部にフラグを書き込む。
【００５９】
一方、表示部１０に表示されている画像上にも、フラグを示す表示マーク（以下、静止画マークと称す）を表示し、表示中（記録中）の画像が静止画として使用可能な状態にあることを撮影者に知らせる（ステップＳ４）。なお、表示部１０に表示されている画像が静止画として使用可能であることを画像に重畳された表示マークでなく、その他の表示部を利用して撮影者に知らせてもよい。例えばデジタルカメラの筐体に埋め込まれたＬＥＤを点灯することでも可能である。
【００６０】
判断部６１が静止画として使用不可能と判断すると、判断した画像のヘッダー部にフラグは書き込まない。また、表示部１０に表示されている画像上に静止画マークを表示しない（ステップＳ５）。
【００６１】
再度、撮影者により動画開始／停止釦１９が押されるか、あるいは所定時間経過すると動画撮影は終了する（ステップＳ６）。
【００６２】
以上説明した撮影動作では、撮像装置が、撮影中の動画像を構成する画像を静止画として使用できるかどうか判断するため、高速シャッターを動作させる等の露光条件を変更する必要がなく、その結果得られる動画像の画質が損なわれることがなく、自然な動画像が得られる。また、判断部６の判断結果のみを、判断した画像に対応させて記録するため、静止画記録のために信号処理部等の回路に過度な負荷をかける必要がなく、その結果動画撮影を中断する必要がない。さらに、判断部６の判断結果を記録することで、画像再生時に、容易に静止画が選択し出力できる。
【００６３】
図３はメモリカード８に記録された動画データの例を示す図であり、（ａ）はＭｏｔｉｏｎ−ＪＰＥＧ方式のように、各画像（フレーム）毎に圧縮した画像を連続して記録している場合のファイル形式であり、（Ｂ）はＭＰＥＧ方式のように画像の中の動く部分だけを検出する等してデータを圧縮している場合のファイル形式である。（Ｃ）は、動画データが記録された動画ファイル以外の別ファイルに静止画使用可能を示すフラグが記録されている場合のファイル形式である。
【００６４】
図３の（Ａ）の場合は、各画像（フレーム）毎に静止画使用可能を示すフラグが記録されている。図３の（Ａ）の場合には、３〜５コマ目の画像が静止画使用可能を表している。（Ｂ）の場合、３〜５コマまでというようにある区間の間に静止画使用可能というフラグが、画像ファイルのヘッダー部に記録されている。（Ｃ）の場合は、動画ファイルとは別のファイルに、撮影コマナンバーとフラグの有無が記録されている。前述した第１の実施形態の説明では、静止画として使用可能であることを示すフラグは画像のヘッダー部に記入されていたが（Ｃ）のように動画ファイルとは別のファイルに記入されていてもよい。また、第１の実施形態および、以下に説明する他の実施形態におけるフラグの記録方法は（Ａ）タイプとして説明を行う。
【００６５】
続いて、本発明の第２の実施形態について説明を行う。第２の実施形態に係るデジタルカメラは第１の実施形態で説明した図１で示されるブロック図と同様の構成を持つ。図４は、動画撮影中に静止画撮影を行う場合の、第２の実施形態の撮影動作を表すフローチャートである。以下、図１と図４を用いて、動画撮影中に静止画記録を行う場合の動作説明を行う。
【００６６】
撮影者により動画開始／停止釦１９が押されると、フラッシュメモリ１３から動画撮影用プログラムが読み出され、その露出プログラムに基づいて露光条件が設定され、動画撮影が開始される（ステップＳ１０）。
【００６７】
動画撮影開始と同時に、制御部６内部の判断部６１には、以下の情報が入力される。レンズ駆動部１２から出力されるレンズ１の焦点距離情報、手ぶれ検出部１４から出力されるデジタルカメラに加わる速度要素の値に基づく手ぶれ情報、測光部１８から出力される被写体輝度の情報に基づいて計算されたシャッター速度、さらには手ぶれ検出部１４の手ぶれ情報に基づいて計算されその計算結果に基づき手ぶれ補正部１５によって移動された手ぶれ補正レンズの移動量（手ぶれ補正の情報）、が入力される（ステップＳ１１）。
【００６８】
判断部６１は、第１の実施形態で説明した（判定法１）乃至（判定法４）のいずれか１つの判定法に基づき、撮影中の画像が静止画として使用可能かどうか判断する（ステップＳ１２）。
【００６９】
判断部６１は静止画として使用可能と判断すると、画像処理部７の内部にある記録／再生部７１にその旨の信号（フラグ）を出力する。記録／再生部７１は、判定したフレーム画像のヘッダー部にフラグを書き込む。一方、表示部１０に表示されている画像上に、静止画マークを表示し、表示中（記録中）の画像が静止画として使用可能な状態にあることを撮影者に知らせる（ステップＳ１３）。
【００７０】
判断部６１が判定法に基づいて静止画として使用不可能と判断すると、フラグの書き込みを中止し、表示部１０に表示されている画像上に静止画マークを表示しない（ステップＳ１４）。
【００７１】
静止画レリーズ釦１７は、半押しされると動作するスイッチ（ＳＷ１）と、全押しされると動作するスイッチ（ＳＷ２）により構成されている。
【００７２】
撮影者により静止画レリーズ釦１７が半押し（ＳＷ１　ＯＮ）されると（ステップＳ１５）、フラッシュメモリ１３から静止画撮影用露出プログラムが読み出され、動画撮影用露出プログラムから静止画撮影用露出プログラムに変更（以下、プログラムシフト１と称す）される（ステップＳ１６）。静止画撮影用露出プログラムとは、例えば、動画撮影時のシャッター速度を１／６０秒から１／２５０秒へ高速側に変化させ、それに応じて絞りを開ける、あるいは信号処理部４のゲインを上げるものである。シャッター速度を変化させる際、急激に変化させると絞りの応答が間に合わず、画面にハンチング等の乱れが発生するため、数フレームにわたって徐々に変化させる。
【００７３】
静止画撮影用露出プログラムは自動的に設定されるものに限らず、スポーツシーン用プログラム、ポートレート用プログラム、シャッター速度優先モード、絞り優先モード、マニュアルモード等、デジタルカメラが備えている静止画撮影機能をあらかじめ選択しておき使用してもよい。
【００７４】
判断部６１には、プログラムシフト１が行われる前と同様に、焦点距離、手ぶれ情報、シャッター速度、手ぶれ補正の情報等の情報が入力されている（ステップＳ１７）。
【００７５】
判断部６１は、第１の実施形態で示した４つの判定法のいずれか一つの判定法に基づいて撮影中の画像が静止画として使用可能かどうか判断を行う（ステップＳ１８）。
【００７６】
判断部６１が静止画として使用可能と判断した場合には、判断した画像のヘッダー部にフラグを書き込み、表示部１０に表示されている画像に静止画マークを表示する（ステップＳ１９）。
【００７７】
判断部６１が静止画として使用不可能と判断した場合には、フラグの書き込みを中止して、静止画マークを表示しない（ステップＳ２０）。
【００７８】
判断部６１が静止画として使用可能かどうかの判断を動画撮影中に繰り返し行い、静止画として使用可能であると判断した時に、静止画レリーズ釦１７が全押しされる（ＳＷ２　ＯＮ）と（ステップＳ２１）、静止画用露出プログラムに基づき静止画が記録される（ステップＳ２２）。スイッチＳＷ２がＯＮされると、スイッチＳＷ２がＯＮされた時の画像が画像メモリ９に取り込まれ、その後画像処理部７にて圧縮処理（例えばＪＰＥＧ方式）された後、メモリカード８に記録される。なお、画像そのものをメモリカード８に記録しないで、スイッチＳＷ２がＯＮされた情報を、スイッチＳＷ２がＯＮされた時の画像データのヘッダー部に記録して静止画記録としてもよい。こうするとメモリカード８に画像が記録されないので、デジタルカメラの信号処理部等の回路に負荷をかけることなく撮影者の意図した時点の静止画が記録できる。
【００７９】
判断部６１が静止画として使用不可能と判定した場合に、静止画レリーズ釦１７が全押し（ＳＷ２　ＯＮ）されると（ステップＳ２３）、フラッシュ部１６が必要に応じて発光し、スイッチＳＷ２がＯＮされた時の画像を一旦画像メモリ９に取り込み、その後画像処理部７にて圧縮処理した後、メモリカード８に記録する（ステップＳ２４）。
【００８０】
静止画が記録されると、再び動画撮影用プログラムがフラッシュメモリ１３から読み出され（プログラムシフト２）、動画撮影用プログラムに基づいて露光条件が設定される。（ステップＳ２５）。
【００８１】
続いてステップ１１に戻り上記の動作を繰り返す。
【００８２】
再度、撮影者により動画開始／停止釦１９が押されるか、あるいは所定時間経過すると動画撮影は終了する（ステップＳ２６、Ｓ２７、Ｓ２８）
以上説明した撮影動作により、撮影者の必要に応じて、動画撮影中に静止画が記録できる。また、第１の実施形態と同様に、判断部６の判断結果を記録することで、画像再生時に容易に静止画が選択、記録できる。
【００８３】
なお、第１の実施形態および第２の実施形態における静止画使用判定法の判定法１、判定法２および判定法４に関し、手ぶれ検出部１４からの手ぶれ情報（デジタルカメラに加わる速度要素の値）を利用していたが、ＣＣＤ２等の撮像素子によって得られた画像間の相関関係を利用した手ぶれ判定（例えば特開２００２−２７３００号公報などに記載の方法）を行う手ぶれ検出部を有し、この手ぶれ検出部の情報に基づき所定の手ぶれ量以下の場合に静止画として使用可能と判断してもよい。この判定法では、カメラに起因する手ぶれのみならず、被写体に起因するぶれにも対応できる。
【００８４】
次に、動画再生時に、再生動画から静止画を記録する動作について説明を行う。図５は動画再生時に静止画記録を行う場合の動作を表すフローチャートである。図１と図５を用いて、動画再生時に静止画記録を行う場合の動作を説明する。
【００８５】
操作者が操作キー群２０の動画再生釦を押すと、記録された動画データが記録／再生部７１によりメモリカード８から読み出され、読み出された圧縮データは画像処理部７により伸張され、表示部１０に再生、表示される（ステップＳ３０）。
【００８６】
判断部６１では、静止画として使用可能と判定されたフラグの検出が行われる（ステップＳ３１）。
【００８７】
静止画として使用可能の判定を示すフラグが検出されると、フラグを検出した旨の信号が画像処理部７に送られ、静止画マークが再生画像に重畳される。静止画マークが重畳された画像が表示部１０に表示され（ステップＳ３２）、静止画として使用できることが、操作者に知らされる。
【００８８】
図６は、再生された動画がデジタルカメラの表示部１０に表示されている様子を表す図である。再生された動画は表示部１０のみならず、デジタルカメラに接続されたＰＣモニター上、あるいは映像データをＮＴＳＣ信号に変換することで、ＴＶ画面上に表示することもできる。
【００８９】
静止画として使用可能の判定を示すフラグが検出されない場合には、対応する画像上に静止画マークを表示しない（ステップＳ３５）。
【００９０】
再生動画を見ている操作者が、動画再生中に静止画マークが表示されているとき、操作キー群２０の静止画記録釦を押すと（ステップＳ３３）、静止画が記録される（ステップＳ３４）。静止画記録釦が押されると、制御部６は画像処理部７にその旨の信号を送る。画像処理部７ではその信号に基づき、静止画記録釦が押された時にＬＣＤ１０等に表示されている画像に対応する画像データを圧縮処理する。圧縮された静止画像はメモリカード８に記録される。あるいは、デジタルカメラに接続された別の記録媒体に記録してもよい。なお、図５の説明では、静止画マークが表示されているときに限り静止画が記録されるが、静止画マークが表示されていない場合にも静止画が記録されてもよい。
【００９１】
上記の動作は動画再生が終了するまで行われる（ステップＳ３６）。
【００９２】
第２の実施形態において説明したようにスイッチＳ２がＯＮ（図４のステップＳ２０）された時に、スイッチＳ２がＯＮされた情報だけが付加信号として記録されている場合には、動画再生時に、スイッチＳ２がＯＮされた信号が検出され、検出されたヘッダー部を持つ画像がメモリカード８等に記録される。
【００９３】
以上の画像再生に関する実施形態では、静止画使用判定のフラグ検出や画像圧縮等を、デジタルカメラで行っているが、別の方法、例えば、コンピュータを使用しプログラムに基づき処理することも可能である。以下に変形例である、パソコンを使用した動画再生と動画再生中の静止画記録について説明する。
【００９４】
図７にパソコンを用いた動画再生を示す。
【００９５】
メモリカード８あるいはその内容をコピーした記録媒体８０をパソコン１００のスロット１０１に挿入する。挿入されたメモリカード８あるいは記録媒体８０から動画データが読み出され、パソコン１００にインストールされている画像処理ソフトの手順に従って動画が再生される。画像処理ソフトには少なくとも、画像読取／記録機能、画像圧縮／伸張を行う画像処理機能、静止画使用判定のフラグ検出機能、フラグ表示機能、再生画像表示機能、静止画記録指示機能が記述されている。
【００９６】
撮像装置の構成ブロック（図１）と画像処理ソフトに記述されている各機能を比較すると、記録／再生部７１と画像読取／記録機能が、画像処理部７と画像圧縮／伸張を行う画像処理機能が、判断部６１と静止画使用判定のフラグ検出機能が、表示部１０とフラグ表示機能および再生画像表示機能が、静止画記録釦２０と静止画記録指示機能が、対応する。
【００９７】
画像処理ソフトで読み出された動画データは、画像処理ソフトの手順に従い圧縮状態から伸張される。また、再生画像のヘッダー部からフラグの有無が検出される。フラグが検出された画像には、静止画マークが重畳され、ＰＣモニター１０２上に表示される。静止画マークが表示されることにより、動画再生者は再生画像が静止画として使用可能かどうか容易に認識できる。
【００９８】
動画再生者が、例えば、ＰＣモニター１０２上に表示されている静止画記録釦１０３を、マウス１０４を使用してクリックすると、マウス１０４でクリックされた時にＰＣモニター１０２上に表示されている画像に対応する画像データが圧縮処理され、スロット１０１に挿入されている記録媒体あるいは、パソコン１００に接続されている別の記録媒体、例えばＭＯ、ＤＶＤ、ハードディスク等に記録される。また、パソコン１００に接続されているプリンタ（不図示）にデータが出力され、プリンタにより静止画が印刷されてもよい。
【００９９】
以上説明した画像再生に関する実施形態においては、第１の実施形態および第２の実施形態の撮像装置で記録された動画を再生するものであり、撮影時に撮像装置が静止画として使用可能と判断した情報を、動画再生時に表示するため、動画再生者は静止画として使用可能であることを容易に認識できる。また、静止画を記録する際には、操作者の意図した瞬間の静止画が容易に得られる。
【０１００】
【発明の効果】以上説明したように、請求項１乃至５の発明によれば、所定条件のもと動画撮影中の画像が静止画として使用可能であることを撮像装置が判断するため、高速シャッターを使用する必要がなくノイズのない美しい動画および静止画が得られると同時に滑らかな動画が得られる。また、静止画として使用可能な画像に対応して判断部が判断した判断結果のみを画像に記録するため、信号処理回路等の回路に負荷をかけることがなく、その結果、静止画撮影のために動画撮影を中断する必要もない。また、動画再生時に手ぶれのない静止画を容易に選択できるように動画撮影が行われる。
【０１０１】
請求項６の発明によれば、撮影者は、動画撮影時に撮影中の画像が静止画として使用可能であることを認識できる。また、静止画として使用可能であることを示す表示は、手ブレが抑制されていることを示す表示であるため手ぶれ警告としても利用でき、この表示が表示されるように撮影することで、手ぶれのない動画撮影が可能となる。
【０１０２】
請求項７の発明により、動画撮影中に、撮影者の必要に応じて静止画が得られると同時に、静止画用露出プログラムに基づいて静止画記録が行われるため、より美しい静止画が得られる。また、動画再生時に手ぶれのない静止画を容易に選択できるように動画撮影が行われる。
【０１０３】
請求項８の発明により、動画再生者は、手ぶれのない静止画を簡単に選択し記録することができる。
【図面の簡単な説明】
【図１】本発明の第１の実施形態であるデジタルカメラの概略構成を示すブロック図である。
【図２】第１の実施形態の、動画撮影中に撮影中の画像が静止画として使用可能であるかどうかの判断を行う撮影動作を表すフローチャートである。
【図３】メモリカード８に記録された動画データを示す図である。
【図４】第２の実施形態の、動画撮影中に静止画記録を行う場合の撮影動作を表すフローチャートである。
【図５】動画再生時に静止画記録を行う場合の動作を表すフローチャートである。
【図６】再生された動画がデジタルカメラの表示部１０に表示されている様子を表す図である。
【図７】パソコンを用いた動画再生を示す図である。
【符号の説明】
１　レンズ
２　ＣＣＤ
３　タイミングジェネレータ
４　信号処理部
５　Ａ／Ｄ変換器
６　制御部
７　画像処理部
８　メモリカード
９　画像メモリ
１０　表示部
１１　ＬＣＤドライバー
１２　レンズ駆動部
１３　フラッシュメモリ
１４　手ぶれ検出部
１５　手ぶれ補正部
１６　フラッシュ部
１７　静止画レリーズ釦
１８　測光部
１９　動画開始／停止釦
２０　操作キー群
２１　ズーム操作キー
６１　判断部
７１　記録／再生部
１００　パソコン
１０１　スロット
１０２　ＰＣモニター
１０３　静止画記録釦
１０４　マウス
【図１】
2004072550.tif 000003
【図２】
2004072550.tif 000004
【図３】
2004072550.tif 000005
【図４】
2004072550.tif 000006
【図５】
2004072550.tif 000007
【図６】
2004072550.tif 000008
【図７】
2004072550.tif 000009